(57)【特許請求の範囲】
【請求項１】
第１の端末と、第２の端末と、前記第１の端末と第２の端末とを接続するネットワークとからなる電話通信システムにおいて、前記第１の端末で登録されたユーザデータを登録解除する方法であって、前記第１の端末には端末メモリが設けられており、この端末メモリ内に、前記ユーザの登録データが格納されており、前記第１の端末及び第２の端末を前記ネットワークに接続するための登録位置データは前記ネットワークのロケーション・メモリ手段のメモリ・フィールド内に格納されており、
前記ユーザにより前記第２の端末に、あるデータを供給する工程と；
前記第２の端末に、前記あるデータが供給されたとき、前記あるデータに応答して、前記第２の端末から前記ネットワークに情報信号を送信する工程と；
前記情報信号に応答して前記ロケーション・メモリ手段の前記メモリ・フィールド内に格納された前記登録位置データを前記ネットワークにより修正する工程と；
前記登録位置データが前記ネットワークにより修正された後、クリア信号を前記ネットワークから前記第１の端末に送信する工程と；
前記クリア信号に応答して前記第１の端末の端末メモリの少なくとも一部をクリアする工程と；
からなることを特徴とする登録データの解除方法。
【請求項２】
前記登録データは識別データと端末データとを備え、前記識別データは前記端末メモリの第１のメモリ・フィールド内に格納され、前記端末データは前記端末メモリの第２のメモリ・フィールドに格納されることを特徴とする、請求の範囲第１項記載の方法。
【請求項３】
前記登録データは少なくとも識別データを備え、前記識別データはユーザデータとサービスデータとを備え、前記ユーザデータは前記第１のメモリ・フィールドの第１の部分内に格納されており、前記サービスデータは前記第１のメモリ・フィールドの第２の部分内に格納されていることを特徴とする、請求の範囲第２項に記載の方法。
【請求項４】
前記クリア信号は、前記第１のメモリ・フィールドの前記第１の部分を少なくとも部分的にクリアするための第１のクリア・サブ信号を備え、及び／又は前記第１のメモリ・フィールドの前記第２の部分を少なくとも部分的にクリアするための第２のクリア・サブ信号を備えていることを特徴とする、請求の範囲第３項記載の方法。
【請求項５】
前記登録位置データを修正する方法ステップは、前記情報信号に応答して、前記登録位置データの少なくとも一部を、追加の登録位置データの少なくとも一部で置き換えることにより行われることを特徴とする、請求の範囲第１項、第２項、第３項又は第４項に記載の方法。
【請求項６】
前記あるデータは登録情報を備え、前記クリア信号は、前記登録位置データが修正された後、前記ネットワークから前記第１の端末に送信されることを特徴とする、請求の範囲第５項記載の方法。
【請求項７】
前記あるデータは登録情報とクリア情報とを備え、前記クリア信号を送信する方法ステップの前記クリア信号の送信は、前記クリア情報が、前記第２の端末から前記ネットワークに供給された後に行われることを特徴とする、請求の範囲第５項記載の方法。
【請求項８】
前記登録位置データを修正する方法ステップは、前記登録位置データを、少なくとも部分的に無効な登録位置データで置換することにより行われることを特徴とする、請求の範囲第１項、第２項第３項又は第４項記載の方法。
【請求項９】
前記あるデータはクリア情報を備え、前記クリア信号を送信する方法ステップは、前記登録位置データが修正された後に行われることを特徴とする、請求の範囲第８項記載の方法。
【請求項１０】
前記あるデータはクリア情報を備え、前記クリア信号を送信する方法ステップは、前記クリア情報が前記第２の端末から前記ネットワークに供給された後に行われることを特徴とする、請求の範囲第８項記載の方法。
【請求項１１】
第１の端末と、第２の端末と、前記第１の端末と前記第２の端末の間に配置されたネットワークとを備えており、前記第１の端末は供給される識別情報に応答してユーザを登録するための登録データを格納する端末メモリを備えており、前記第１の端末はさらに、前記識別情報に応答して、前記ネットワークに情報信号を送信するための送信手段を備え、前記ネットワークは前記情報信号に応答して前記第１の端末を前記ネットワークに接続するための登録位置データをロケーション・メモリ手段のメモリ・フィールドに格納するためのロケーション・メモリ手段を備えている、電話通信システムにおいて、
前記第２の端末は前記第２の端末に供給されるあるデータに応答して、追加の情報信号を前記ネットワークに送信するための追加の送信手段を備えており、前記ネットワークは前記ロケーション・メモリ手段の前記メモリ・フィールドに既に格納されている登録位置データを、前記追加の情報信号に応答して修正するための修正手段を備えており、前記ネットワークは、前記第２の端末に前記あるデータを供給した結果として、前記端末メモリの少なくとも一部をクリアするためのクリア信号を前記第１の端末に送信するためのさらなる追加の送信手段を備えていることを特徴とする、電話通信システム。
【請求項１２】
前記登録データは識別データと端末データとを備え、前記識別データは前記端末メモリの第１のメモリ・フィールド内に格納されており、前記端末データは前記端末メモリの第２のメモリ・フィールドに格納されていることを特徴とする、請求の範囲第１１項記載の電話通信システム。
【請求項１３】
前記登録データは少なくとも識別データを備え、前記識別データはユーザデータとサービスデータとを備え、前記ユーザデータは前記第１のメモリ・フィールドの第１の部分内に格納されており、前記サービスデータは前記第１のメモリ・フィールドの第２の部分内に格納されていることを特徴とする、請求の範囲第１２項に記載の電話通信システム。
【請求項１４】
前記クリア信号は、前記第１のメモリ・フィールドの前記第１の部分を少なくとも部分的にクリアするための第１のクリア・サブ信号を備え、及び／又は前記第１のメモリ・フィールドの前記第２の部分を少なくとも部分的にクリアするための第２のクリア・サブ信号を備えていることを特徴とする、請求の範囲第１３項記載の電話通信システム。
【請求項１５】
前記修正手段は、前記追加の情報信号に応答して、前記登録位置データの少なくとも一部を、追加の登録位置データの少なくとも一部で置き換えるための置き換え手段を備えていることを特徴とする、請求の範囲第１１項、第１２項、第１３項又は第１４項に記載の電話通信システム。
【請求項１６】
前記あるデータは登録情報を備え、前記さらなる追加の送信手段は、前記修正手段の制御の下で前記クリア信号を送信することを特徴とする、請求の範囲第１５項記載の電話通信システム。
【請求項１７】
前記さらなる追加の送信手段は、前記第２の端末の前記追加の送信手段から発生する前記追加の情報信号に応答して前記クリア信号を前記第１の端末に送信することを特徴とする、請求の範囲第１５項記載の電話通信システム。
【請求項１８】
前記修正手段は、前記登録位置データの少なくとも一部が無効であることを示す無効指示信号を生成する生成手段を備えていることを特徴とする、請求の範囲第１１項、第１２項第１３項又は第１４項記載の電話通信システム。
【請求項１９】
前記さらなる追加の送信手段は、前記修正手段の制御の下で前記クリア信号を前記第１の端末に送信することを特徴とする、請求の範囲第１８項記載の電話通信システム。
【請求項２０】
前記さらなる追加の送信手段は、前記第２の端末の前記追加の送信手段から発生する前記追加の情報信号に応答して、前記クリア信号を前記第１の端末に送信することを特徴とする、請求の範囲第１８項記載の電話通信システム。
【発明の詳細な説明】
背景技術
本発明は、ある端末で登録されたユーザを登録データを介して登録解除する方法に関し、その端末は供給されるべき識別情報に応じて登録データが格納されている端末メモリを備えており、ネットワークに供給されるべき登録位置データ（登録ロケーション・データ）はそのネットワークのロケーション・メモリ手段のメモリフィールドに格納されている。
このような方法は一般に知られており、ユーザが登録データにより端末にて自分自身を登録した後に一般に行われる。
その登録は、例えば、それほど高度ではない端末の場合に、その端末にスマート・カード（記憶装置付カード）を置き、その後にその端末がそのスマート・カードから識別情報を得てそれをネットワークに供給することにより行われる。これに応答して、ネットワークはロケーション・メモリ手段のメモリフィールドに登録位置データを格納する。登録解除は、上記のそれほど高度ではない端末の例においてスマート・カードを端末から除去し、その後その端末がネットワークに登録解除データを供給することにより行われる。これに応答して、ロケーション・メモリ手段のメモリフィールド内の登録位置データは無効であると宣言される。ユーザが移動するときに自分のスマート・カードを端末から除去せずに移動すると、該ユーザヘの着信呼はその端末に誤って配信され、そのユーザは自分のスマート・カードなしで他の端末に自分自身を登録することができず、且つ他のユーザは先に言及した端末に自分自身を登録することができない、という結果をもたらすだけである。しかしながら、前記他のユーザは自分自身で、勿論、上記最初のユーザのスマート・カードを除去し、次いで自分自身をその端末に登録することができ、これは上記最初のユーザに対する着信呼がもはやどの端末にも配信されないという結果となる。
より高度な端末の場合は、登録は、例えば、その端末に接続されたカードリーダによりスマート・カードをアクセスすることにより行われ、その端末はカードリーダを介してスマート・カードから識別情報を得てその識別情報を端末メモリに格納する。その端末はその識別情報をネットワークに供給し、そのネットワークは、これに応答して、ロケーション・メモリ手段のメモリフィールドに登録位置データを格納する。上記のより高度な端末の例においては、様々なユーザが同一の端末において登録でき、追加のユーザに関係した識別情報もその同一端末メモリに格納される。この場合の登録解除は、その端末に関係したカードリーダによりスマート・カードを再びアクセスすることにより行われる。
そのような方法は、なかんずく、ユーザがカードリーダにより自分のスマート・カードを再びアクセスすることなく移動すると、そのユーザに対する着信電話呼が誤ってその端末に配信されるばかりでなく、端末メモリが無効情報により不必要に使用され、その結果他のユーザが所与の時間にその端末に登録することがもはやできなくなる、という不利益を有する。
発明の開示
本発明の目的は、なかんずく、導入部において記載したタイプの方法において、ユーザが前に登録した端末においてそのユーザによる登録解除に失敗しても、なかんずく、登録手続きに関して滞るというその端末の能力についての上記の不利益に導かない方法を提供することである。
この目的のために、本発明による方法は、
ユーザにより追加の端末に、あるデータを供給すること；
供給されるべき上記あるデータに応答して、上記追加の端末によりネットワークに情報信号を送信すること；
その情報信号に応答してロケーション・メモリ手段のメモリ・フィールド内に格納された登録位置データをネットワークにより調整すること；
クリア信号をその端末に送信すること；および
そのクリア信号に応答して端末メモリの少なくとも１部をその端末によりクリアすること、
というステップを備えることを特徴とする。
ユーザのためにあるデータを追加の端末に供給するようにし、且つその追加の端末のために情報信号をネットワークに送信するようにした結果、ネットワークはロケーション・メモリ手段のメモリ・フィールドに格納された登録位置データを調整することができるので、そのユーザに向けられた着電話呼はもはや誤って上記第１の端末に配信されることはない。クリア信号に応じて端末により端末メモリの少なくとも一部をクリアすることにより、上記端末メモリが無効情報により不必要に使用されることを防止する。
本発明は、なかんずく、第１の端末に関係した登録は第２の端末から実行される登録解除により無効にされることができるべきであるという考察に基づいている。この方法で、より高度な端末で行われない登録解除の問題は他の（多少高度な）端末からの登録解除により解決される。これに関連して、本発明による方法の発明性の少なくとも一部は上記の問題を提示することにあり、登録と登録解除の両方を同一のより高度な端末で行うことの不利益は本発明による方法によりさらに克服されることを指摘しておくべきである。
本発明の方法の第１の実施例は、登録データは識別データと端末データとを備え、識別データは端末メモリの第１のメモリ・フィールド内に格納され、端末データは端末メモリの第２のメモリ・フィールドに格納されるという特徴を有する。
これらの状況下で、登録データは識別データと端末データに分離されて別々に格納され、それにより異なる識別データにより特徴付けられるユーザのために同一の端末データを使用することができるという利益が得られる。この結果、端末データをより効率的に使用できる。
本発明の方法の第２の実施例は、登録データは少なくとも識別データを備え、その識別データはユーザデータとサービスデータとを備え、ユーザデータは第１のメモリ・フィールドの第１の部分内に格納され、サービスデータは第１のメモリ・フィールドの第２の部分内に格納されるという特徴を有する。
これらの状況下で、登録データに関係した識別データはユーザデータとサービスデータに分離されて別々に格納され、それにより、ユーザデータにより特徴付けられたユーザに関して、あるサービスデータにより特徴付けられたあるサービスのみを登録解除できて、そのユーザデータにより特徴付けられたユーザは残りのサービスデータにより特徴付けられた残りのサービスに関しては登録されないという利益が得られる。
本発明の方法の第３の実施例は、クリア信号は、第１のメモリ・フィールドの第１の部分を少なくとも部分的にクリアするための第１のクリア・サブ信号を備え及び／又は第１のメモリ・フィールドの第２の部分を少なくとも部分的にクリアするための第２のクリア・サブ信号を備えているという特徴を有する。
この結果、どのユーザデータが無効と宣言され、どのユーザデータが無効と宣言されないかを、及び／又はどのサービスデータが無効と宣言され、どのサービスデータが無効と宣言されないかを整理することができる。
本発明の方法の第４の実施例は、登録位置データを調整する方法ステップは、追加の情報信号に応答して、登録位置データの少なくとも一部を、登録されるべき追加の登録位置データの少なくとも一部で置き換えることにより行われるという特徴を有する。
この場合は、追加の登録が追加の端末で行われて、そのユーザに向けられた着電話呼はその追加の端末に配信される。
本発明の方法の第５の実施例は、上記あるデータは登録情報を備え、クリア信号を送信する方法ステップは登録位置データの調整に応答して行われるという特徴を有する。
これらの状況下で、その追加の登録は登録解除を生じるので暗示的な登録解除ということができる。
本発明の方法の第６の実施例は、上記あるデータは登録情報とクリア情報とを備え、クリア信号を送信する方法ステップはクリア情報の供給に応答して行われるという特徴を有する。
これらの状況下で、その追加の登録に加えて、登録解除が行われるので、その追加の端末から実行される明示的な登録解除ということができる。
本発明の方法の第７の実施例は、登録位置データを調整するという方法ステップが登録位置データの少なくとも一部が無効であると宣言することにより行われるという特徴を有する。
この場合は、その追加の端末では追加の登録はおこなわれないので、そのユーザに向けられた着電話呼はその追加の端末に配信されず、且つ上記第１の端末にもはや配信されない。
本発明の方法の第８の実施例は、上記あるデータはクリア情報を備え、そのクリア信号を送信する方法ステップは登録位置データの調整に応答して行われるという特徴を有する。
これらの状況下で、登録解除は追加の登録なしに行われるので、ネットワークから実行される明示的な登録解除ということができる。
本発明の方法の第９の実施例は、上記あるデータはクリア情報を備え、そのクリア信号を送信する方法ステップはクリア情報の供給に応答して行われるという特徴を有する。
これらの状況下で、登録解除は追加の登録なしに行われるので、その追加の端末から実行される明示的な登録解除ということができる。
本発明はさらに、第１の端末と、第２の端末と、その第１の端末と第２の端末の間に配置されたネットワークとを備えており、第１の端末は供給されるべき識別情報に応答してユーザを登録するための登録データを格納する端末メモリを備えており、第１の端末はさらに、供給されるべき識別情報に応答して、ネットワークに情報信号を送信するための送信手段を備え、そのネットワークは情報信号に応答して登録位置データをロケーションメモリ手段のメモリ・フィールドに格納するためのロケーション・メモリ手段を備えている、電話通信システムに関する。
本発明の目的はさらに、なかんずく、上記したタイプの電話通信システムにおいて、ユーザが前に登録した端末においてそのユーザによる登録解除に失敗しても、なかんずく、登録手続きに関して滞るというその端末の能力についての上記の不利益に導かない電話通信システムを提供することである。
この目的のために、本発明による電話通信システムは、第２の端末は第２の端末に供給されるべきあるデータに応答して、追加の情報信号を送信するための追加の送信手段を備えており、ネットワークはロケーション・メモリ手段のメモリ・フィールドに既に格納されている登録位置データを、追加の情報信号に応答して調整するための調整手段を備えており、電話通信システムは、第２の端末にあるデータを供給した結果として、端末メモリの少なくとも一部をクリアするためのクリア信号を送信するためのさらなる追加の送信手段を備えているという特徴を有する。
追加の送信手段を介して追加の端末にユーザにより供給されるべきあるデータに応答してネットワークに情報信号を送信し、ロケーション・メモリ手段のメモリ・フィールドに格納されている登録位置データを、情報信号に応答して調整手段により調整することにより、そのユーザに向けられた着電話呼は上記第１の端末に誤って配信されることはもはやない。さらなる追加の送信手段（これは追加の端末内に又はネットワーク内に配置されている）を介して、クリア信号を端末に送信し、そのクリア信号に応答して端末メモリの少なくとも一部をクリアすることにより、その端末メモリは無効情報により不必要に使用されることは防止できる。
本発明による電話通信システムの第１の実施例は、登録データは識別データと端末データとを備え、識別データは端末メモリの第１のメモリ・フィールド内に格納されており、端末データは端末メモリの第２のメモリ・フィールドに格納されているという特徴を有する。
本発明による電話通信システムの第２の実施例は、登録データは少なくとも識別データを備え、その識別データはユーザデータとサービスデータとを備え、ユーザデータは第１のメモリ・フィールドの第１の部分内に格納されており、サービスデータは第１のメモリ・フィールドの第２の部分内に格納されているという特徴を有する。
本発明による電話通信システムの第３の実施例は、クリア信号は、第１のメモリ・フィールドの第１の部分を少なくとも部分的にクリアするための第１のクリア・サブ信号を備え、及び／又は第１のメモリ・フィールドの第２の部分を少なくとも部分的にクリアするための第２のクリア・サブ信号を備えているという特徴を有する。
本発明による電話通信システムの第４の実施例は、調整手段は、追加の情報信号に応答して、登録位置データの少なくとも一部を、登録されるべき追加の登録位置データの少なくとも一部で置き換えるための置き換え手段を備えているという特徴を有する。
本発明による電話通信システムの第５の実施例は、上記あるデータは登録情報を備え、さらなる追加の送信手段は調整手段の制御の下でクリア信号を送信するという特徴を有する。
本発明による電話通信システムの第６の実施例は、上記あるデータは登録情報とクリア情報とを備え、さらなる追加の送信手段は第２の端末の追加の送信手段から発生する追加の情報信号に応答してクリア信号を第１の端末に送信するという特徴を有する。
本発明による電話通信システムの第７の実施例は、調整手段は、登録位置データの少なくとも一部が無効であると宣言するための無効宣言信号を生成する生成手段を備えているという特徴を有する。
本発明による電話通信システムの第８の実施例は、上記あるデータはクリア情報を備え、さらなる追加の送信手段は調整手段の制御の下でクリア信号を第１の端末に送信するという特徴を有する。
本発明による電話通信システムの第９の実施例は、上記あるデータはクリア情報を備え、さらなる追加の送信手段は第２の端末の追加の送信手段から発生する追加の情報信号に応答してクリア信号を第１の端末に送信するという特徴を有する。
Ｃ  参考文献
■  フランスのボルドーで1992年3月3-5日に開催された2nd International Conference on Intelligence in Networks(ICIN'92)のH.P.J.Hecker,J.Hegeman, W.R.Mol and MJ.J.van Nielen,によるThe application of the INconcept to provide mobility in underlying networks
■  ヨーロッパ電話通信スタンダード・インスティチュート(ETSI)，ドラフト，TCRTR NA-71301, Version:0.3.3,日付:1994-04-06のUniversal Personal Telecommunication(UPT)Requirements on Information Flows and Protocols UPT Phase 1
■  NL 9401344（優先権の基礎であるオランダ出願）
すべての参考文献は本願に取り込まれていると見なされる。
【図面の簡単な説明】
図１は本発明による固定電話通信システムを示し、そして
図２は本発明による移動体電話システムを示す。
発明を実施する為の最良の形態
本発明は図に示した例示的実施例を参照してより詳細に説明される。図において：
図１に示した本発明による固定電話通信システムは、端末１と、追加の端末２と、固定電話通信のために設計されたネットワーク３とを備えている。端末１はプロセッサ手段１０を備えており、そのプロセッサ手段１０は接続線１４を介して端末メモリ１１に接続されており、接続線１５を介して送信手段１２に接続されており、接続線１６を介しで情報送受信手段１３に接続されている。追加の端末２は追加のプロセッサ手段２０を備えており、そのプロセッサ手段２０は接続線２４を介して追加の端末メモリ２１に接続されており、接続線２５を介して追加の送信手段２２に接続されており、接続線２６を介して情報送受信手段２３に接続されている。ネットワーク３はネットワーク・プロセッサ手段３０を備えており、そのネットワーク・プロセッサ手段３０は接続線３４を介してロケーション・メモリ手段３１に接続されており、接続線３５を介してさらに追加の送信手段３２に接続されており、接続線３６を介してスイッチング・マトリックス３３に接続されており、そのスイッチング・マトリックス３３は接続線３７を介してプロセッサ１０に接続されており、接続線３８を介して追加のプロセッサ手段２０に接続されている。
プロセッサ手段１０および２０はそれぞれ、端末メモリ１１および２１と、送信手段１２および２２と、情報送受信手段１３および２３とを制御し、接続線３７および３８を介してネットワーク３から信号を受信する。ネットワーク３から受信すべき信号は、必要であれば、音声信号の場合は（アナログからディジタルに又はディジタルからアナログに）、プロセッサ手段１０および２０によりそれぞれ変換され、図示しないスピーカ／マイクロフォン手段に送信され、シグナリング信号の場合は、必要であれば変換され、さらに処理される。端末メモリ１１および２１はそれぞれ、この例では、特に、ロー毎に、１ユーザが１つの特定のサービスのために有効な方法で（１つの特定のユーザ／サービスの組合せ）登録されたかを格納可能であるようにして、ユーザ・データを格納する第１コラムと、サービス・データを格納する第２コラムと、追加のデータを格納する第３コラムと、有効／無効信号を格納する第４コラムとの４つのコラムを備えている。同時に、その１つのあるユーザ／サービスの組合せは、関連する追加のデータによりより詳細に補足される。送信手段１２および２２はそれぞれ、接続線１５および２５をそれぞれ介して、又、プロセッサ手段１０および２０をそれぞれ介して、又接続線３７および３８をそれぞれ介して、シグナリング信号をネットワーク３に送信し、プロセッサ手段１０および２０はそれぞれ任意の変換と追加の処理を行う。情報送受信手段１３および２３はそれぞれ、例えば、プッシュボタンおよびディスプレイにより形成され、供給されるべきプッシュボタン情報は矢印１７および２７を経由して象徴的に表示されている。
ネットワーク・プロセッサ３０はロケーション・メモリ手段３１とさらに追加の送信手段３２とスイッチング・マトリックス３３とを制御する。ロケーション・メモリ手段３１は、この例では、特定的には、ロー当たり、ある特定の端末位置において１つのサービスに対して１つのユーザが登録されたかどうかを格納することが可能なように、ユーザデータを格納するための第１コラムと、サービス・データを格納するための第２コラムと、端末位置データ（ライン接続データのような）を格納するための第３コラムとの３つのコラムを備えている。登録位置データは次いでロー毎に格納される。同時に、１つのあるユーザ／サービスの組み合わせはそれ自体を関連する追加のデータによりより詳細に特定する必要はない。さらに追加の送信手段３２は、接続線３５を介して、プロセッサ手段３０を介して、そしてスイッチング・マトリックス３３を介して特定の端末にシグナリング信号を送信し、プロセッサ手段３０は任意の変換および追加の処理を行う。
図１に示した本発明による電話通信システムの動作は次の通りである。サービスｘ及びｙのために端末１において自分自身を登録しようとするユーザは、例えば、情報送受信手段１３のプッシュボタンを介して連続的に、次の登録情報：★id code #，★pin code #，★1 code x # y ##を入力する。ここで、id codeは識別符号を形成し、pin codeは個人識別番号符号を形成する。両者は★と#の間に配置されて各符号の始まりと終わりを形成する。符号xはサービスx符号を形成し、符号yはサービスy符号を形成し、★1はサービス登録の開始を示し、#は２つの符号を互いに分離し、##はサービス登録の終わりを示している。入力された識別情報及びサービス情報に応じて、プロセッサ１０は接続線１６を介して、入力された情報を表す信号を受け取り、その後プロセッサ１０はその信号を必要であれば変換して接続線３７を介してスイッチング・マトリックス３３に与え、接続線３６を介してネットワーク・プロセッサ手段３０に与え、そのネットワーク・プロセッサ手段３０は図示されていないネットワーク・メモリを介して、pin符号とid符号との組み合わせが正しいかどうかをチェックする。もし正しけれは、ネットワーク・プロセッサ手段３０は図示されないネットワーク・メモリにより、追加のデータ及び端末データを表す追加の信号を供給され、ネットワーク・プロセッサ手段はその追加の信号を接続線３６、スイッチング・マトリックス３３、及び接続線３７を介してプロセッサ１０に送り、そのプロセッサ１０は必要であればその追加の信号を変換してその同じユーザデータ（ｉｄ符号）を端末メモリ１１内の第１コラム内の第１ロー及び第２ローに格納し、第１サービスデータ（符号ｘ）を第２コラム内の第１ロー内に格納し、第２サービスデータ（符号ｙ）を第２コラム内の第２ロー内に格納し、その追加のデータを第３コラム内の第１ロー及び第２ロー内に格納し、有効信号を第４コラム内の第１ロー及び第２ロー内に格納し、例えば、端末データ（端末識別子）を端末メモリ１１内の最下ローに格納する。ネットワーク・プロセッサ手段３０は、同一のユーザデータ（ｉｄ符号）をロケーション・メモリ手段３１内の第１コラム内の第１ロー及び第２ロー内に格納し、第１サービスデータ（符号ｘ）を第２コラム内の第１ロー内に格納し、第２サービスデータ（符号ｙ）を第２コラム内の第２ローに格納し、同一の端末位置データ（端末１）を第３コラム内の第１ロー及び第２ロー内に格納する。
ユーザはこうして自分自身をサービスｘ及びｙのために端末１において登録する。この結果、ネットワーク３においてそのユーザに到着し、サービスｘ及び／又はｙに関係するメッセージは、ロケーション・メモリ手段３１を調べた後に、ネットワーク・プロセッサ手段３０の制御の下で、スイッチング・マトリックス３３を経由して端末１に配信される。他方で、ネットワーク３に到着するそのユーザのためのメッセージでサービスｚに関係するものは、そのユーザがサービスｚのために端末１において登録していないので、端末１に配信されない。
もしユーザが端末１が配置されているビルディングから端末２が配置されているビルディングへの移動を要求し、端末２でサービスｙ及びｚを登録することを要求し、そして自分自身のサービスｘに対する登録解除を要求する場合は、自分自身の端末１でのサービスｘ及びｙに対する登録解除をしなければならない。これは、端末１で情報送受信手段１３のプッシュボタンを介して、例えば、以下の情報：★id code #，★pin code #，★2 code x # y ##を入力する。ここで、id codeは識別符号を形成し、pin codeは個人識別番号符号を形成する。両者は★と#の間に配置されて各符号の始まりと終わりを形成する。符号xはサービスx符号を形成し、符号yはサービスy符号を形成し、★２はサービス登録解除の開始を意味し、#は２つの符号を互いに分離し、##はサービス登録の終わりを示している。入力された識別情報及びサービス情報に応じて、プロセッサ１０は接続線１６を介して、入力された情報を表す信号を受け取り、その後プロセッサ１０はその信号を必要であれば変換して接続線３７を介してスイッチング・マトリックス３３に与え、接続線３６を介してネットワーク・プロセッサ手段３０に与え、そのネットワーク・プロセッサ手段３０は図示されていないネットワーク・メモリを介して、Pin符号とid符号との組み合わせが正しいかどうかをチェックする。もし正しければ、ネットワーク・プロセッサ手段３０は、pin codeとid codeとの組み合わせの正確さを表す正確度信号を図示されないネットワーク・メモリにより供給され、ネットワーク・プロセッサ手段はその正確度信号を接続線３６、スイッチング・マトリックス３３、及び接続線３７を介して、プロセッサ１０に送り、そのプロセッサ１０は、これに応答して、端末メモリ１１内の第４コラムの第１ロー及び第２ローにある有効信号を無効信号で置き換える。この結果、端末メモリ１１の第１ロー及び第２ローは上書きできる。ネットワーク・プロセッサ手段３０はロケーション・メモリ手段３１内の第３コラム内の第１ロー及び第２ロー内に格納されている端末位置データ（端末１）を無効データで置き換える。
こうしてユーザは自分自身の端末１におけるサービスｘ及びｙのための登録を解除し、この結果サービスｘ及び／又はサービスｙに関係するメッセージがそのユーザに向けてネットワーク３に到着しても、ロケーション・メモリ手段３１を考慮した後にネットワーク・プロセッサ手段３０の制御の下でスイッチング・マトリックス３３を経由して端末１にはもはや配信されない。しかしながら、もしユーザが端末１で自分自身の登録解除を忘れると、第１にその端末１には無効情報が不必要に供給されるという問題が発生し、第２にそのユーザに向けてネットワーク３に到着するサービスｘ及び／又はサービスｙに関係するメッセージが端末１に誤って配信されるという問題が発生する。この最後の問題は端末２においてサービスｘ及びｙのための自分自身の登録を用意することにより解決できるが、もしユーザが端末２でサービスｙ及びｚのための登録を要求し、端末２でサービスｘのために自分自身を登録することを本来望まない場合は、この方法では解決できない。しかしながら、本発明による電話通信システムは両方の問題を、満足いく方法で、以下に特定されるようにして解決する。
端末１を含むビルディングから端末２を含むビルディングに移動し、サービスｙ及びｚのために自分自身を登録することを望み、且つサービスｘのための自分自身の登録を解除することを望むユーザは、情報送受信手段２３のプッシュボタンを介して連続的に、例えば、次の登録情報及びクリア情報：★id code #，★pin code #，★1 code y # code z #，★2 code x ##を入力する。ここで、id codeは識別符号を形成し、pin codeは個人識別番号符号を形成する。両者は各符号の始まりと終わりを示す★と#の間に配置されている。符号xはサービスx符号を形成し、符号zはサービスz符号を形成し、★1はサービス登録の開始を示し、#は２つの符号を互いに分離している。符号xはサービスx符号を形成し、★2はサービス登録解除の開始を示し、##はサービス登録とサービス登録解除の終わりを示している。入力された識別情報及びサービス情報に応じて、プロセッサ２０は接続線２６を介して、この入力された情報を表す信号を受け取り、その後プロセッサ２０はその信号を必要であれば変換して接続線３８、スイッチング・マトリックス３３、及び接続線３６を介してネットワーク・プロセッサ手段３０に与え、そのネットワーク・プロセッサ手段３０は図示されていないネットワーク・メモリを介して、pin符号とid符号との組み合わせが正しいかどうかをチェックする。もし正しければ、ネットワーク・プロセッサ手段３０は図示されないネットワーク・メモリにより、追加のデータ及び端末データを表す追加の信号を供給され、ネットワーク・プロセッサ手段はその追加の信号を接続線３６、スイッチング・マトリックス３３、及び接続線３８を介してプロセッサ２０に送り、そのプロセッサは必要であればその追加の信号を変換してその同じユーザデータ（ｉｄ符号）を端末メモリ２１内の第１コラム内の第１ロー及び第２ローに格納し、第２サービスデータ（符号ｙ）を第２コラム内の第１ロー内に格納し、第３サービスデータ（符号ｚ）を第２コラム内の第２ローに格納し、その追加のデータ（各ローに対して互いに異なっているか同じである）を第３コラム内の第１ロー及び第２ロー内に格納し、有効信号を第４コラム内の第１ロー及び第２ロー内に格納し、端末データ（端末識別子）を例えば、端末メモリ２１内の最下ローに格納する。
ネットワーク・プロセッサ手段３０は、調整手段を具備し、この調整手段は、端末２から発生するデータ（これは、例えば、図示しないネットワーク・メモリに一時的に格納される）をロケーション・メモリ手段３１に格納された登録位置データと比較し、それによりユーザが自分自身を端末１におけるサービスｘ及びｙのために登録したこと及びサービスｚのために自分自身を登録していないことを確証する。これに応じて、調整手段はロケーション・メモリ手段３１内の第３コラム内の第１ローに格納された端末位置データを無効データで置き換え、且つその調整手段は第３コラム内の第２ロー内に格納された端末位置データ（端末１）を他の端末位置データ（端末２）で置き換え、そしてその調整手段は再び、同一のユーザデータ（ｉｄ符号）を第１コラム内の第３ロー内に格納し、第３のサービスデータ（符号ｚ）を第２コラム内の第３のロー内に格納し、他の端末位置データ（端末２）を第３コラム内の第３ロー内に格納する。第３コラム内の第１ロー及び第２ロー内に格納された端末位置データを調整したことの結果、又は第３コラム内の第２ローに格納された端末位置データと登録解除コマンド（★code x ##，クリア情報）とを調整した結果、さらに追加の送信手段３２は、ネットワーク・プロセッサ手段３０の制御の下で、クリア信号を発生し、そのクリア信号は接続線３５、ネットワーク・プロセッサ手段３０、接続線３６、スイッチング・マトリックス３３及び接続線３７を介してプロセッサ１０に送信され、そのプロセッサ１０は、これに応答して、端末メモリ１１内の第４コラム内の第１ロー内及び第２ロー内の有効データを無効データで置き換える。この結果、端末メモリ１１内の第１ロー及び第２ローは上書きされることができるようになる。
こうして、ユーザは、端末１においてサービスｘのために明示的方法で自分自身を登録解除し、端末１においてサービスｙのために（サービスｙのために端末２において登録することにより）暗示的方法で自分自身を登録解除し、ユーザは端末２においてサービスｙ及びｚのために自分自身を登録し、この結果、サービスｙ及び／又はｚに関係するメッセージがネットワーク３においてそのユーザ宛に到着すると、それはロケーション・メモリ手段３１をチェックした後にネットワーク・プロセッサ手段３０の制御の下でスイッチング・マトリックス３３を介して端末２に配信される。他方で、サービスｘに関係するそのユーザ宛のメッセージがネットワーク３に到着しても、そのユーザはサービスｘのための登録を解除しているので、そのメッセージはもはや端末に配信されない。クリア信号を用いた結果、ユーザが端末１で自分自身の登録解除を忘れても、端末メモリ１１はもはや無効情報を不必要に保持しない。そのクリア信号は端末位置データに応答して及び／又は登録解除コマンド又はクリア情報に応答して生成される。この場合における暗示的方法及び明示的方法は同時に行われる必要はなく、別々に行われ得る。
調整手段は、ロケーション・メモリ手段３１から生じる登録位置データ（ユーザデータ、サービスデータ及び端末位置データを表す信号）を端末２から生じ、図示されていないネットワーク・メモリに一時的に格納されているデータ（例えば、同じユーザデータ、同じサービスデータ、及び他の端末位置データを表す信号）と比較する比較手段に基づいて、且つ、部分的同等（同一ユーザデータ及び同一サービスデータ）の場合は、ロケーション・メモリ手段３１内に格納された端末位置データを、例えば、図示されていないネットワーク・メモリ内に一時的に格納された他の端末位置データで置き換える置き換え手段に基づいて、当業者に知られた方法で実現できる。
ネットワーク３内のさらに追加の送信手段３２が端末２内に位置してもよい。この場合は、それらは追加の送信手段２２内に収容され得る。クリア信号は次で端末２からネットワーク３１を経由して端末１に送られ、この場合、そのクリア情報を端末１に供給するに際して、例えば、ロケーション・メモリ手段３１を考慮することにより、ユーザは又そのクリア信号の宛先（端末１）に関する情報を追加するか又はネットワーク３がそのクリア信号の宛先（端末１）に関する情報を追加しなければならない。さらに、クリア信号はユーザデータのみを含む端末メモリ内の位置のみか、又はユーザデータに加えて、サービスデータ及び／又は追加のデータを含む端末メモリ内の位置のみをクリアする第１のクリアサブ信号を含むことができ、且つ、クリア信号はサービスデータ及び／又は追加のデータのみを含む端末メモリ内の位置のみをクリアする第２のクリアサブ信号を含むことができる。勿論、端末メモリはこの目的のために当業者に知られた方法で設計されるべきである。
端末メモリの最下ローに格納された端末データ（端末識別子）は、異なるシステムでそれぞれの端末を使用できるようにするためにサブ分割がなされないかぎり、勿論、すべてのユーザ／サービスの組み合わせに対して有効である。この場は、１つの意味における端末データは１つの意味におけるシステムのためのユーザ／サービスの組み合わせの目的のために有効であり、他の意味における端末データは他の意味におけるシステムのためのユーザ／サービスの組み合わせの目的のために有効である。ある特定の意味における少なくとも１つのユーザ／サービスの組み合わせが依然として格納されている限り、ある特定の意味における端末データは格納され続けなければならない。一般に、クリア信号に応答してある特定の意味における少なくとも１つのユーザ／サービスの組み合わせが無効であると宣言されることに応答して、ある端末はある特定の意味における端末データが依然として必要とされているかどうかを調査することができ、もはや必要でないならば、クリア信号に応答して、その端末はある特定の意味におけるそれぞれの端末データが無効であると宣言することができ、それは、勿論、ネットワークに通知され得る。しかしながら、特定の意味における少なくとも１つのユーザ／サービスの組み合わせがそれぞれの端末において無効であると宣言されるとすぐに、ネットワークがある特定の意味における端末データが必要とされているかどうかを調査することができ、必要とされていれば、ネットワークが、同一の又は他のクリア信号により、この目的のためにそれぞれの端末に命令を与えることができる。
端末は、例えば、電話機、ビデオ電話機、ファックス機、パソコン、テレビ、その他により形成され得る。サービスは、例えば、電話呼、ビデオ電話呼、データ伝送、Ｅメール、ビデオ画像、その他であり得る。
図２に示した本発明による移動体電話通信システムは、端末４と、追加の端末５と移動体電話通信のために設計されたネットワーク６とを備えている。端末４は、プロセッサ４０を備えており、そのプロセッサ４０は、端末メモリ４１に接続され、送信手段４２に接続され、情報送受信手段４３に接続され、トランシーバ４４に接続されている。追加の端末５は追加のプロセッサ手段５０を備えており、そのプロセッサ手段５０は追加の端末メモリ５１に接続され、追加の送信手段５２に接続され、追加の情報送受信手段５３に接続され、追加のトランシーバ５４に接続されている。ネットワーク６はネットワーク・プロセッサ手段６０を備えており、そのネットワーク・プロセッサ手段６０は、接続線６４を介してロケーション・メモリ手段６１に接続され、接続線６８を介して関係メモリ手段６７に接続され、接続６５を介してさらに追加の送信手段６２に接続され、接続線６６を介してスイッチング・マトリックス６３に接続されており、そのスイッチング・マトリックス６３はさらに基地局６９と７０（第１のロケーション・エリア）・７１と７２（第２のロケション・エリア）、７３と７４（第３のロケーション・エリア）に接続されている。
プロセス手段４０および５０はそれぞれ、端末メモリ４１および５１と、送信手段４２および５２と、情報送受信手段４３および５３と、基地局６９、７０、７１、７２、７３及び／又は７４からの無線信号を受信するトランシーバ４４および５４とを制御する。ネットワーク６から受信されるべき信号は音声信号の場合に必要であればプロセッサ手段４０および５０によりそれぞれ（アナログからディジタルに又はディジタルからアナログに）変換されて、例えば、図示されていないスピーカ／マイクロフォン手段に送信され、シクナリング信号の場合には、必要であれば変換されてさらに処理される。端末メモリ４１および５１はそれぞれ、この例では端末メモリ１１および２１に対応している。送信手段４２および５２はそれぞれ、送信手段１２および２２に対応している。情報送受信手段４３および５３はそれぞれ、例えば、スマート・カード・リーダにより形成される。
ネットワーク・プロセッサ手段６０は、ロケーション・メモリ手段６１と関係メモリ手段６７と、さらに追加の送信手段６２とスイッチング・マトリックス６３とを制御する。ロケーション・メモリ手段６１は、この例では、特に、ロー当たりに、１ユーザがある特定の端末で１つの特定のサービスのために登録しているかどうかを格納可能であるようにして、ユーザデータを格納するための第１コラムと、サービスデータを格納するための第２コラムと、端末データを格納するための第３コラムとの３つのコラムを備えている。登録位置データは次いでロー当たりに格納される。関係メモリ手段６７は、この例では、端末データを格納するための第１コラムと位置エリアデータを格納するための第２コラムとを備え、どのロケーションエリアに端末が配置されているかがロー当たりで決定される。さらに追加の送信手段６２は接続線６５を介して、およびプロセッサ手段６０を介して、およびスイッチング・マトリックスを介して、シグナリング信号を特定の基地局に送信し、そのプロセスで、プロセッサ手段６０は任意の変換および追加の処理を行う。
図２に示した本発明による電話通信システムは、以下の点を除き、図１に示した電話通信システムと同じである。端末４においてサービスｘ、ｙおよびｚのために自分自身を登録することを望むユーザはカードリーダ（情報送受信手段４３）により自分自身のスマート・カードをアクセスし、その結果、ｉｄ符号（識別符号）とサービスｘ符号と、サービスｙ符号と、サービスｚ符号と、追加のデータ符号が登録情報として入力される。この入力された識別情報、サービス情報、および追加の情報に応答して、プロセッサ手段４０はその入力された情報を表す信号を受信し、その後、トランシーバ４４は、例えば、基地局６９に対する無線接続を確立し、プロセッサ手段４０は次いで必要であればその信号を変換して、それらを端末メモリ４１に格納し、それらをトランシーバ４４を介してネットワーク６の基地局６９に送信する。ネットワーク・プロセッサ手段６０は、同一のユーザデータ（ｉｄ符号）をロケーション・メモリ手段６１内の第１コラムの第１ローと第２ローと第３ローとに格納し、第１のサービスデータ（符号ｘ）を第２コラムの第１ローに格納し、第２のサービスデータ（符号ｙ）を第２コラムの第２ローに格納し、第３のサービス（符号ｚ）を第２コラムの第３ローに格納し、同一の端末データ（端末４）を第３コラムの第１ローと第２ローと第３ローに格納する。さらに、ネットワークプロセッサ手段６０は端末データ（端末４）を関係メモリ手段６７内の第１コラムの第１ローに格納し、ロケーション・エリア・データ（基地局６９の帰結としての第１ロケーション・エリア）を第２コラムの第１ロー内に格納する。
こうしてユーザは自分自身をサービスｘ、ｙ、およびｚのために端末４において登録し、その結果、そのユーザ宛にネットワーク６に到着する、サービスｘ及び／又はサービスｙ及び／又はサービスｚに関係するメッセージは、ロケーション・メモリ手段６１および関係メモリ手段６７を調べた後に、ネットワーク・プロセッサ手段６０の制御の下でスイッチング・マトリックス６３を介して端末４に配信される。これは、先ず第１に、到着するメッセージに基づいて、ロケーション・メモリ手段６１内のユーザデータを介して端末データを探索することにより、そして次いで、端末データに基づいてロケーション・エリア・データを関係メモリ手段６７内で探索することにより、次いでページャ信号を基地局６９および７０（第１ロケーション・エリア）を介して端末４のトランシーバ４４に送信して、これに応答して基地局６９および７０の１つとの無線接続を確立する等により行われる。
端末４が、例えば、第２のロケーション・エリア（基地局７１および７２）に移動すると、トランシーバ４４は基地局７１および７２の１つと直ちに無線接続を確立し、その後ネットワーク６はその移動を通知され、関係メモリ手段６７の第２コラムの第１ロー内のロケーション・エリア・データは当業者に知られた方法で調整される。到着メッセージの場合、端末データはユーザデータを介して先すロケーション・メモリ手段６１内で再び探索され、ロケーション・エリア・データは次いで端末データに基づいて関係メモリ手段６７内で探索され、ページャ信号は次いで基地局７１および７２（第２ロケーション・エリア）を介して端末４のトランシーバ４４に送信され、そのトランシーバ４４は次いでこれに応答して基地局７１および７２の１つに対する無線接続の確立等をする。
端末４から端末５に移動して、自分自身をサービスｘ，ｙおよびｚのために登録しようとするユーザは、カードリーダ（情報送受信手段５３）により自分自身のスマート・カードをアクセスし、その結果、ｉｄ符号（識別符号）およびサービスｘ符号とサービスｙ符号とサービスｚ符号と追加のデータ符号とは登録情報として入力される。この入力された識別情報およびサービス情報および追加の情報に応答して、プロセッサ手段５０は上記入力された情報を表す信号を受け取り、その後、トランシーバ５４は、例えば、基地局７４に対して無線接続を確立し、プロセッサ手段５０は次いで必要であれば上記信号を変換して端末メモリ５１に格納し、トランシーバ５４および基地局７４を介してネットワーク６にそれらを送信する。
ネットワーク・プロセッサ手段６０は、調整手段を具備し、この調整手段は、端末５から発生したデータ（例えば、図示されていないネットワークメモリに一時的に格納されたもの）をロケーション・メモリ手段６１に格納された登録位置データと比較し、そうすることにより、ユーザが端末４においてサービスｘ，ｙ，ｚを既に登録したことを確認する。これに応答して、その調整手段は、ロケーション・メモリ手段６１において、第３コラム内の第２ロー内に格納された端末データ（端末４）を他の端末データ（端末５）で置き換える。第３コラム内の第１ローと第２ローと第３ロー内に格納された端末データを調整した結果、ネットワーク・プロセッサ手段６０の制御の下でさらなる追加の送信手段６２によりクリア信号が生成され、そのクリア信号は、関係メモリ手段６７を調べた後に端末４が依然として第１のロケーション・エリア内に配置されていることがわかれば、接続線６５、ネットワーク・プロセッサ手段６０、接続線６６、スイッチング・マトリックス６３および基地局６９及び／又は７０を介して、例えば、ぺ一ジャ信号のコンポーネントとして、端末４に送信される。このクリア信号に応答して、端末メモリ４１のそれぞれの部分は端末４によりクリアされる。この結果、端末メモリ４１の上記それぞれの部分は上書きされることができるようになる。代替例として、クリア信号はぺ一ジャ信号のコンポーネントとして送信されず、トランシーバ４４によるべ一ジャ信号の受信の後に、無線接続が基地局６９及び／又は７０に対して確立され、その後にクリア信号は確立されたその無線接続を介して送信されることが可能である。
こうしてユーザは端末４におけるサービスｘ，ｙ，ｚのための登録を自分自身で暗示的な方法で解除し、端末５におけるサービスｘ，ｙ，ｚのための登録を自分自身で行い、その結果、自分宛にネットワーク６に到着する、サービスｘ及び／又はサービスｙ及び／又はサービスｚに関係するメッセージは、ロケーション・メモリ手段６１および関係メモリ手段６７を調べた後にネットワーク・プロセッサ手段６０の制御の下で、スイッチング・マトリックス６３と、例えば、基地局７４と確立された無線接続とトランシーバ５４とを介して、端末５に配信される。クリア信号を使用した結果、ユーザが端末４で自分自身の登録解除を忘れても、端末メモリ４１はもはや無効情報を保持せず、クリア信号は、従ってこの場合は、端末データの調整に応答して発生する。
好ましくは、図１に示した電話通信システムと図２に示した電話通信システムとは、例えば、スイッチング・マトリックス３３および６３を相互接続することにより互いに接続され、そうすると、端末１に登録されたユーザを端末５から登録解除でき、例えば、端末４に登録されたユーザを端末２から登録解除できるようになる。
図２に示された情報送受信手段４３および５３は、カードリーダを備え、好ましくはプッシュボタンおよびディスプレイにより拡張されて、例えば、ｐｉｎ符号がプッシュボタンから入力されている間に、例えば、スマート・カードを介して、識別符号が入力される。さらに、プッシュボタンを介してサービス情報（の一部）を入力する可能性があり、端末毎にユーザがどのサービスのために自分自身をその端末に登録したいか、及び／又はどのサービスのために自分自身を他の端末に登録したいかを決定することができる。
スマート・カードおよびカードリーダの使用は、より少ない情報を自分自身でキー入力しなければならないプッシュボタンよりも有利である。しかしながら、さらに、スマート・カードから情報を読むことができるばかりでなく、追加の情報もスマート・カードに追加できる。この結果、スマート・カード上の第１の端末に関係するある端末データをその第１の端末で実行されるべき登録及び／又は登録解除に応じて格納するという可能性が生じて、第１の端末に関係するある端末データは既に存在しているので、第２の端末から実行されるべき、第１の端末で登録されたサービスの登録解除はネットワーク上でより少ない負荷ですむ。
送信手段１２と、追加の送信手段２２と、さらなる追加の送信手段３２とは、それぞれ、他の例示的実施例においては出回線に直接接続できて、信号の任意の変換および処理が、その変換され処理される可能性のある信号がプロセッサ手段１０と追加のプロセッサ手段２０とネットワークプロセッサ手段３０の制御の下にそれぞれ送信される前に、プロセッサ手段１０および追加のプロセッサ手段２０およびネットワークプロセッサ手段３０によりそれぞれ最初に行うことができる。他の実施例においては、送信手段４２および追加の送信手段５２およびさらなる追加の送信手段６２はそれぞれ、やはりトランシーバ４４およびトランシーバ５４およびスイッチング・マトリックス６３にそれぞれ直接接続できて、信号の任意の変換および処理が、その変換され処理される可能性のある信号がプロセッサ手段４０と追加のプロセッサ手段５０とネットワークプロセッサ手段６０の制御の下にそれぞれ送信される前に、プロセッサ手段４０および追加のプロセッサ手段５０およびネットワークプロセッサ手段６０によりそれぞれ最初に行うことができる。
ロケーション・メモリ手段６１および関係メモリ手段６７は接続されて、３つのコラムを持つ１つのメモリを形成してもよく、この場合は端末データはしたがって完全に省略できる。
ロケーション・メモリ手段３１および６１は各加入者ユーザのためにリザーブされ、それぞれのデータで満たされた１つ以上のローを持つように設計できる。しかしながら、それらは又、ユーザのためにリザーブされたローを持たないように設計することもでき、この場合は、端末（ロケーション）データが第３コラム内の所与のロー内で無効データで置き換えられると、ネットワークは全体のローが上書き可能になったことを知らなければならない。
端末メモリｌｌ、２１、３１および４１とロケーション・メモリ手段６１は又他の方法で組織化することができ、同一のユーザデータは、例えば、１度だけ格納され、そのユーザデータおよび追加のデータに関係するサービスデータは特定のアドレス結合を介して格納される。
図１および２に示された電話通信システムは単なる例である。従って、基地局とスイッチング・マトリックスとの間の接続は他の方法（リング構造）で行うことができ、バス構造のネットワーク３および６内で使用可能である。一般に、本発明は従ってすべての既存のおよび将来の電話通信システム・ネットワークにおいて適用可能である。
本発明はまた、ある端末（１，４）で登録されたユーザを、登録データを介して、登録解除する方法に関し、その端末には端末メモリ（１１，４１）が設けられており、その端末メモリ内に、入力されるべき識別情報（情報送受信手段１３，４３）に応答して登録データが（端末メモリｌｌ，４１の第１ローおよび第２ロー内に）格納され、ネットワーク（３，６）に供給されるべき登録位置データはネットワーク（３，６）のロケーション・メモリ手段（３１，６１）のメモリ・フィールド（第１ローおよび第２ロー）内に格納され、その方法は、：
ユーザにより追加の端末（２，５）に、あるデータを（情報送受信手段を介して）供給すること；
供給されるべきあるデータに応答して追加の端末（２，５）によりネットワーク（３，６）に情報信号を（追加の情報送受信手段２２，５２を介して）送信すること；
情報信号に応答してロケーション・メモリ手段（３１，６１）のメモリ・フィールド（第１ロー、第２ローおよび第３ロー）内に格納された登録位置データをネットワーク（３，６）により調整すること；
クリア信号を（さらなる追加の送信手段（３２，６２）を介して）端末（１，４）に送信すること；および
そのクリア信号に応答して端末メモリ（１１，４１）の少なくとも１部を端末（１，４）によりクリアすること、
というステップを備えることを特徴とする。
本発明の方法の第１の実施例は、登録データは識別データと端末データとを備え、識別データは端末メモリ（１１，４１）の第１のメモリ・フィールド（最下のローを除くすべてのロー）内に格納され、端末データは端末メモリ（ｌｌ，４１）の第２のメモリ・フィールド（最下のロー）に格納されるという特徴を有する。
本発明の方法の第２の実施例は、登録データは少なくとも識別データを備え、その識別データはユーザデータとサービスデータとを備え、ユーザデータは第１のメモリ・フィールドの第１の部分（第１コラムと、可能性として第３コラムの一部）内に格納されており、サービスデータは第１のメモリ・フィールドの第２の部分（第２コラムと、可能性として第３コラムの他の一部）内に格納されるという特徴を有する。
本発明の方法の第３の実施例は、クリア信号は、第１のメモリ・フィールドの第１の部分を少なくとも部分的にクリアするための第１のクリア・サブ信号を備え及び／又は第１のメモリ・フィールドの第２の部分を少なくとも部分的にクリアするための第２のクリア・サブ信号を備えているという特徴を有する。
本発明の方法の第４の実施例は、登録位置データを調整する方法ステップは、追加の情報信号（ロケーション・メモリ手段６１の第３コラム、第１ローおよび第２ロー）に応答して、登録位置データの少なくとも一部を、登録されるべき追加の登録位置データの少なくとも一部で置き換えることにより行われるという特徴を有する。
本発明の方法の第５の実施例は、上記あるデータは登録情報を備え、クリア信号を送信する方法ステップは登録位置データの調整に応答して行われるという特徴を有する。
本発明の方法の第６の実施例は、上記あるデータは登録情報とクリア情報とを備え、クリア信号を送信する方法ステップはクリア情報の供給に応答して行われるという特徴を有する。
本発明の方法の第７の実施例は、登録位置データを調整するという方法ステップが登録位置データの少なくとも一部が無効（ロケーション・メモリ手段３１の第３コラム、第１ロー内の無効端末ロケーション）であると宣言することにより行われるという特徴を有する。
本発明の方法の第８の実施例は、上記あるデータはクリア情報を備え、そのクリア信号を送信する方法ステップは登録位置データの調整に応答して行われるという特徴を有する。
本発明の方法の第９の実施例は、上記あるデータはクリア情報を備え、そのクリア信号を送信する方法ステップはクリア情報の供給に応答して行われるという特徴を有する。
【図１】
0003801631.tif 000002
【図２】
0003801631.tif 000003